(57)【特許請求の範囲】
【請求項１】
画像サーバと複数のクライアント・コンピュータとが相互に通信可能であり，一の上記クライアント・コンピュータにおいて画像データによって表される，複数のオブジェクト画像から構成される画像について上記オブジェクト画像の追加，変更および削除の少なくとも１つのオブジェクト画像編集をし，編集画像に関する情報を一の上記クライアント・コンピュータから上記画像サーバに送信する画像編集システムであり，
上記画像サーバは，
上記一のクライアント・コンピュータから送信された編集画像に関する情報を上記一または他の上記クライアント・コンピュータに送信する編集画像情報送信手段を備え，
上記一または他の上記クライアント・コンピュータは，
上記画像サーバから送信された編集画像に関する情報にもとづいて，上記一のクライアント・コンピュータにおいて生成された編集画像を再編集する画像再編集手段，および
上記画像再編集手段によって再編集された再編集画像についての再編集部分に関する情報を上記画像サーバに送信する再編集部分情報送信手段を備え，
一または他の上記クライアント・コンピュータは，編集画像の再編集に先だって，編集画像全体に対する画像編集を行うことを表す画像編集要求データ，または編集画像を構成するいずれかのオブジェクト画像に対するオブジェクト画像編集を行うことを表わすオブジェクト画像編集要求データを，上記画像サーバに送信するものであり，
上記画像サーバが，
一または他の上記クライアント・コンピュータから送信された画像編集要求データ，またはオブジェクト画像編集要求データにもとづいて，上記編集画像の再編集，または編集画像を構成するオブジェクト画像の再編集を許可するかどうかを判定する画像編集判定手段，ならびに
上記画像編集判定手段により，上記編集画像の再編集またはオブジェクト画像の再編集を許可すると判定されたときに，許可した一または他の上記クライアント・コンピュータに，編集許可データを送信する編集許可データ送信手段をさらに備え，
上記一または他のクライアント・コンピュータが，
上記画像サーバから送信された上記編集許可データを受信したことに応じて，編集画像の再編集，またはオブジェクト画像の再編集を実行する画像再編集実行手段をさらに備えた，
画像編集システム。
【請求項２】
複数の上記クライアント・コンピュータが，１または２以上の上記クライアント・コンピュータごとに複数のグループに分けられており，
上記画像サーバが，上記再編集部分情報送信手段から送信された上記再編集部分情報を，再編集部分情報を送信した一または他の上記クライアント・コンピュータが属するグループ内の上記クライアント・コンピュータに送信する送信手段をさらに備えている，請求項１に記載の画像編集システム。
【請求項３】
一または他の上記クライアント・コンピュータが，上記画像サーバから送信された上記再編集部分情報に関するコメントを入力するコメント入力手段，および
上記コメント入力手段から入力されたコメントを上記画像サーバに送信するコメント送信手段をさらに備えている，請求項２に記載の画像編集システム。
【請求項４】
画像サーバと複数のクライアント・コンピュータとが相互に通信可能なシステムを構成するクライアント・コンピュータであり，
画像データによって表わされる，複数のオブジェクト画像から構成される画像について上記オブジェクト画像の追加，変更および削除の少なくとも１つのオブジェクト画像編集をする画像編集手段，
上記画像編集手段により編集された編集画像に関する情報を上記画像サーバに送信する編集情報送信手段，
上記画像サーバから送信される編集画像に関する情報を受信する編集画像情報受信手段，
上記編集画像情報受信手段により受信した編集画像に関する情報にもとづいて，編集画像を再編集する画像再編集手段，および
上記画像再編集手段によって再編集された再編集画像についての再編集部分に関する情報を上記画像サーバに送信する再編集部分情報送信手段，
編集画像の再編集に先だって，編集画像全体に対する画像編集を行うことを表す画像編集要求データ，または編集画像を構成するいずれかのオブジェクト画像に対するオブジェクト画像編集を行うことを表わすオブジェクト画像編集要求データを，上記画像サーバに送信する手段，
上記画像サーバにおいて，上記画像編集要求データ，または上記オブジェクト画像編集要求データにもとづいて，上記編集画像の再編集，または編集画像を構成するオブジェクト画像の再編集を許可することが判定された場合に上記画像サーバから送信される，編集許可データを受信したことに応じて，編集画像の再編集，またはオブジェクト画像の再編集を実行する画像編集実行手段，
を備えているクライアント・コンピュータ。
【請求項５】
画像サーバと複数のクライアント・コンピュータとが相互に通信可能であり，
一の上記クライアント・コンピュータにおいて画像データによって表わされる，複数のオブジェクト画像から構成される画像について上記オブジェクト画像の追加，変更および削除の少なくとも１つのオブジェクト画像編集をし，
編集画像に関する情報を一の上記クライアント・コンピュータから上記画像サーバに送信し，
上記画像サーバは，一の上記クライアント・コンピュータから送信された編集画像に関する情報を受信し，
上記画像サーバから一または他の上記クライアント・コンピュータに，受信した編集画像に関する情報を送信し，
上記画像サーバから送信された編集画像に関する情報にもとづいて，編集画像を一または他の上記クライアント・コンピュータにおいて再編集し，
再編集した再編集オブジェクト画像についての再編集部分に関する情報を一または他の上記クライアント・コンピュータから上記画像サーバに送信し，
一または他の上記クライアント・コンピュータは，編集画像の再編集に先だって，編集画像全体に対する画像編集を行うことを表す画像編集要求データ，または編集画像を構成するいずれかのオブジェクト画像に対するオブジェクト画像編集を行うことを表わすオブジェクト画像編集要求データを，上記画像サーバに送信し，
上記画像サーバは，一または他の上記クライアント・コンピュータから送信された画像編集要求データ，またはオブジェクト画像編集要求データにもとづいて，上記編集画像の再編集，または編集画像を構成するオブジェクト画像の再編集を許可するかどうかを判定し，
上記画像サーバは，上記編集画像の再編集またはオブジェクト画像の再編集を許可すると判定したときに，許可した一または他の上記クライアント・コンピュータに，編集許可データを送信し，
上記一または他のクライアント・コンピュータは，
上記編集許可データを受信したことに応じて，編集画像の再編集，またはオブジェクト画像の再編集を実行する，
画像編集方法。
【請求項６】
複数の上記クライアント・コンピュータから，１または２以上の上記クライアント・コンピュータごとに複数のグループに分けられており，
上記画像サーバが，上記再編集部分情報を，上記再編集部分情報を送信した一または他のクライアント・コンピュータが属するグループ内の上記クライアント・コンピュータに送信する，請求項５に記載の画像編集方法。
【請求項７】
一または他の上記クライアント・コンピュータにおいて，上記画像サーバから送信された上記再編集部分情報に関するコメントを入力し，
入力されたコメントを上記画像サーバに送信する，
請求項６に記載の画像編集方法。
【請求項８】
画像サーバと複数のクライアント・コンピュータとが相互に通信可能なシステムを構成するクライアント・コンピュータに画像の編集をさせるためのプログラムであって，
上記クライアント・コンピュータにおいて，画像データによって表される，複数のオブジェクト画像から構成される画像について上記オブジェクト画像の追加，変更および削除の少なくとも１つのオブジェクト画像編集をさせ，
編集画像に関する情報を上記クライアント・コンピュータから上記画像サーバに送信させ，
上記画像サーバから送信される編集画像に関する情報を受信させ，
受信した編集画像に関する情報にもとづいて，編集画像を再編集させ，
再編集された再編集画像についての再編集部分に関する情報を上記画像サーバに送信させ，
編集画像の再編集に先だって，編集画像全体に対する画像編集を行うことを表す画像編集要求データ，または編集画像を構成するいずれかのオブジェクト画像に対するオブジェクト画像編集を行うことを表わすオブジェクト画像編集要求データを，上記画像サーバに送信させ，
上記画像サーバにおいて，上記画像編集要求データ，または上記オブジェクト画像編集要求データにもとづいて，上記編集画像の再編集，または編集画像を構成するオブジェクト画像の再編集を許可することが判定された場合に上記画像サーバから送信される，編集許可データを受信したことに応じて，編集画像の再編集，またはオブジェクト画像の再編集を実行させるように上記クライアント・コンピュータを制御するプログラムを格納したコンピュータ読み取り可能な記録媒体。
【発明の詳細な説明】
【０００１】
【技術分野】
この発明は，画像サーバと複数のクライアント・コンピュータとが相互に通信可能な画像編集システムならびに画像編集システムを構成するクライアント・コンピュータならびに画像編集方法および画像編集のためのプログラムを格納した記録媒体に関する。
【０００２】
【発明の背景】
コンピュータ装置の発達およびインターネットの普及により，画像サーバとクライアント・コンピュータとがインターネットを通して通信することが実現されている。
【０００３】
画像サーバとクライアント・コンピュータとの間の通信が比較的容易に可能となると，クライアント・コンピュータから画像サーバに画像データをアップロードしたり，画像サーバから画像データをクライアント・コンピュータにダウンロードすることも比較的容易となる。
【０００４】
このために，画像サーバから画像データをダウンロードし，ダウンロードした画像データによって表わされる画像と他の画像とを用いて画像を編集する，編集画像をクライアント・コンピュータから画像サーバにアップロードするなどのさまざまな展開が可能である。
【０００５】
【発明の開示】
この発明は，画像サーバと複数のクライアント・コンピュータとが相互に通信可能なシステムにおいて，クライアント・コンピュータにおいて生成された編集画像をクライアント・コンピュータによって再編集できるようにする事を目的とする。
【０００６】
この発明による画像編集システムは，画像サーバと複数のクライアント・コンピュータとが相互に通信可能であり，一の上記クライアント・コンピュータにおいて画像データによって表わされる画像を編集し，編集画像に関する情報を上記一のクライアント・コンピュータから上記画像サーバに送信する画像合成システムであり，上記画像サーバは，上記一のクライアント・コンピュータから送信された編集画像に関する情報を上記一または他の上記クライアント・コンピュータに送信する編集画像情報送信手段を備え，上記一または他の上記クライアント・コンピュータは，上記画像サーバから送信された編集画像に関する情報にもとづいて，上記一のクライアント・コンピュータにおいて生成された編集画像を再編集する画像再編集手段，および上記画像再編集手段によって再編集された再編集画像に関する再編集情報を上記画像サーバに送信する再編集情報送信手段を備えていることを特徴とする。
【０００７】
この発明は，上記画像編集システムに適した方法も提供している。すなわち，画像サーバと複数のクライアント・コンピュータとが相互に通信可能であり，一の上記クライアント・コンピュータにおいて画像データによって表される画像を用いて画像を編集し，編集画像に関する情報を上記一のクライアント・コンピュータから上記画像サーバに送信し，上記画像サーバは，上記一のクライアント・コンピュータから送信された編集情報を受信し，上記画像サーバから上記一または他の上記クライアント・コンピュータに，受信した編集情報を送信し，上記画像サーバから送信された編集情報にもとづいて編集された編集画像を上記一または他の上記クライアント・コンピュータにおいて再編集し，再編集した画像に関する再編集情報を一または他の上記クライアント・コンピュータから上記画像サーバに送信するものである。
【０００８】
この発明によると，上記のように画像サーバと複数のクライアント・コンピュータとが相互に通信可能なように，例えば，ネットワークを介して接続されている。複数のクライアント・コンピュータのうち，一のクライアント・コンピュータにおいて画像の編集が行われる。編集画像に関する情報，例えば編集された画像そのもの，編集画像を再現するために編集画像を構成する画像を特定する画像ファイル名，画像の配置位置を表すデータなどが画像の編集処理が行われた一のクライアント・コンピュータから画像サーバに送信される。
【０００９】
この画像編集システムでは，クライアント・コンピュータにおいて生成された編集画像を再編集することができる。編集画像の再編集は，画像を編集した一のクライアント・コンピュータで行なうこともできるし，画像を編集した一のクライアント・コンピュータ以外の他のクライアント・コンピュータで行なうこともできる。
【００１０】
画像を再編集する場合には，画像を編集した一のクライアント・コンピュータから送信された編集画像に関する情報が，画像サーバから画像を編集する一または他のクライアント・コンピュータに送信される。編集情報（編集画像に関する情報）を受信したクライアント・コンピュータにおいて，受信した編集情報にもとづいて編集画像が再現される。再現された編集画像について再編集，例えば画像または文字もしくは記号の追加，削除または変更（位置の移動，縮小，拡大など）が行われる。
【００１１】
このようにして再編集された画像に関する再編集情報が，画像を再編集したクライアント・コンピュータから画像サーバに送信される。
【００１２】
以上のようにして一のクライアント・コンピュータにおいて編集された画像を，一または他のクライアント・コンピュータにおいて再編集することができる。複数のクライアント・コンピュータが協力して一つの画像を編集することができ，より良い画像を生成することができるようになる。
【００１３】
好ましくは，画像サーバには，クライアント・コンピュータから送信された編集情報を記憶しておく。そして，画像の再編集を行なうときには，再編集部分に関する情報をクライアント・コンピュータから画像サーバに送信する。画像サーバに記憶されている編集情報と，クライアント・コンピュータから送信された再編集情報とを用いて再編集された画像を再現できる。再編集の部分に関する情報の情報量は少ない。情報量が少ないので，画像の再編集を行ったクライアント・コンピュータから画像サーバに再編集情報を送信する場合でも比較的短時間で済
む。
【００１４】
また，複数の上記クライアント・コンピュータから，１または２以上の上記クライアント・コンピュータごとに複数のグループに分けられており，画像の編集または再編集を行なうことを表わす実行データを，画像の編集または再編集を行なうことに先立ち一または他の上記クライアント・コンピュータから上記画像サーバに送信するものであり，上記画像サーバにおいて，一または他の上記クライアント・コンピュータから送信された上記実行データにもとづいて，画像の編集または再編集の実行を許可するかどうかを判定し，許可すると判定されたときに，上記画像サーバから，許可した一または他の上記クライアント・コンピュータに許可を表わすデータを送信し，一または他の上記クライアント・コンピュータが，上記画像サーバから送信された許可データを受信したことに応じて画像の編集または再編集を実行するものでもよい。
【００１５】
クライアント・コンピュータにおける画像の編集または再編集に先立ち，画像の編集または再編集を行なうことを表わす上記実行データを上記画像サーバに送信し，画像サーバによって画像の編集または再編集の実行の許可があった場合に画像の編集または再編集を行っているので，複数のクライアント・コンピュータにおいて同時に画像の編集または再編集が行われることがなく，多くの異なる編集画像の並存を防止できる。
【００１６】
上記編集画像が複数のオブジェクト画像から構成されており，上記オブジェクト画像の追加，変更および削除の少なくとも１つのオブジェクト画像編集を行うことを表すオブジェクト画像編集要求データを一または他の上記クライアント・コンピュータから上記画像サーバに送信するときには，上記画像サーバにおいて，一または他の上記クライアント・コンピュータから送信された上記オブジェクト画像編集要求データにもとづいて，上記オブジェクト画像編集を許可するかどうかを判定し，上記オブジェクト画像編集を許可すると判定されたときに，許可した一または他の上記クライアント・コンピュータに上記オブジェクト画像編集を許可するオブジェクト画像編集許可データを送信し，上記一または他のクライアント・コンピュータにおいて，上記画像サーバから送信された上記オブジェクト画像編集許可データを受信したことに応じて上記オブジェクト画像編集を実行するようにしてもよい。
【００１７】
オブジェクト画像編集許可データを得ることにより，各クライアント・コンピュータにおいて，編集画像を構成するオブジェクト画像の編集が可能となる。異なるクライアント・コンピュータにおいて，同一の編集画像について異なるオブジェクトの編集（オブジェクトの追加，変更（オブジェクト画像の配置位置の変更，オブジェクト画像の拡大，縮小を含む），削除など）が可能となる。
【００１８】
さらに，クライアント・コンピュータが複数のグループに分けられたときには上記編集情報または上記再編集情報を，上記編集情報を送信した一または他のクライアント・コンピュータが属するグループ内の上記クライアント・コンピュータに送信してもよい。
【００１９】
グループ内の上記クライアント・コンピュータが上記編集情報または再編集情報を受信することにより，編集画像または再編集画像を再現することができる。画像を編集または再編集したクライアント・コンピュータ以外のクライアント・コンピュータにおいて，編集画像または再編集画像を確認することができる。
【００２０】
さらに，一または他の上記クライアント・コンピュータが，上記画像サーバから送信された上記編集情報または上記再編集情報に関するコメントを入力するコメント入力手段，および上記コメント入力手段から入力されたコメントを上記画像サーバに送信するコメント送信手段をさらに備えることが好ましい。
【００２１】
編集画像または再編集画像についてのコメントを付加できるので，このコメントにもとづいて編集画像を再編集できる。編集画像をさらに発展させることができる。
【００２２】
【実施例の説明】
（Ａ）第１実施例
（１）画像編集システムの構成
図１は，この発明の実施例を示すもので，画像編集システムの全体構成を示している。
【００２３】
画像編集システムは，編集サーバ（画像サーバ）３０とクライアント・コンピュータとがインターネットを介して接続されることにより構成される。多数のクライアント・コンピュータがインターネットに接続されている。複数のクライアント・コンピュータがグループを構成している。図１においては，クライアント・コンピュータ１，１Ａおよび１Ｂによりグループ１を構成し，クライアント・コンピュータｎ，ｎ＋１およびｎ＋２がグループｎを構成している。
【００２４】
このように構成されたグループ内で特定の画像をクライアント・コンピュータ同士で共有し，共有した画像を用いて画像の編集処理が行われる。例えば，あるクライアント・コンピュータが最初に画像を編集し，同じグループに属する他のクライアント・コンピュータがその編集画像を再編集して，最終的な編集画像が生成される。複数のクライアント・コンピュータの複数のユーザが共同して１つの編集画像を生成していくこととなる。
【００２５】
編集サーバ３０には，システム・データベース３５および高画質プリンタ３６が接続されている。
【００２６】
図２は，クライアント・コンピュータ１の電気的構成を示すブロック図である。クライアント・コンピュータは通常ユーザの自宅に置かれる。
【００２７】
クライアント・コンピュータ１の全体の動作はＣＰＵ２によって統括される。
【００２８】
クライアント・コンピュータ１には，ＲＯＭ３，データを一時的に記憶するためのＲＡＭ４，画像編集のために表示装置１４に画像を表示させるためのＶＲＡＭ１２，ＲＯＭ３からのデータの読出しならびにＲＡＭ４およびＶＲＡＭ１２へのデータの書込みおよび読出しを制御するためのメモリ・コントローラ１５が含まれている。ＶＲＡＭ１２から読み出された画像データがＤＡコンバータ１３に与えられることにより，アナログ映像信号に変換され表示装置１４に表示される。
【００２９】
また，クライアント・コンピュータ１にはバス・コントローラ５，メモリ・コントローラ１５およびタイマ１６が接続されている。
【００３０】
さらに，クライアント・コンピュータ１には，システムＩ／Ｏコントローラ６が接続されている。このシステムＩ／Ｏコントローラ６にはクライアント・コンピュータ１のユーザからの操作指令を受け付けるためのキーボード７およびマウス８ならびに画像データを読み取るためのＣＤ−ＲＯＭドライブ９およびＦＤドライブ１０ならびにインターネットと接続するためのモデム１１が接続されている。
【００３１】
クライアント・コンピュータ１には外部Ｉ／Ｏコントローラ１８が接続されている。この外部Ｉ／Ｏコントローラ１８には，フラットベッド・スキャナ２１，フイルム・スキャナ２２，ディジタル・スチル・カメラ２３およびＨＤドライブ２４が接続されている。ＨＤドライブ２４によってデータの読書きが自在なＨＤ（ハード・ディスク：図示略）に，実行プログラムが記憶されている（この実行プログラムは，プログラムを記憶したＣＤ−ＲＯＭが後述のＣＤ−ＲＯＭドライブ９に読み取られることによりＨＤに記憶される）。ＨＤに記憶されている実行プログラムを読出すことによりクライアント・コンピュータによって後述の所定の処理が行われる。
【００３２】
さらにクライアント・コンピュータ１には画像を印刷するためのプリンタ２０およびこのプリンタ２０を制御するためのプリンタ制御回路１９が接続されている。
【００３３】
ユーザはこのクライアント・コンピュータ１を用いて所望の画像を編集することとなる。画像編集処理について詳しくは後述する。
【００３４】
編集サーバ３０もクライアント・コンピュータ１とほぼ同じ構成をしている。
【００３５】
図３は，システム・データベース３５に格納されている１つのクライアント・コンピュータグループについての項目（データ構成）を示している。図３に示すような項目のデータが編集サーバ３０と接続可能なクライアント・コンピュータが構成するグループの数に対応する数だけ格納されている。
【００３６】
グループごとにグループＩＤおよびグループ名が付与され（グループＩＤとグループ名とが一対一に対応すれば，グループＩＤとグループ名とは同一であってもいいし，相違するものであってもいい），これらのグループＩＤおよびグループ名ごとに，最新の編集情報のバージョン，最新編集情報，編集情報ＩＤ，コメントＩＤ，特殊コメントＩＤ，印刷記録ＩＤおよびオーナ・フラグが付加されている。
【００３７】
編集情報は，編集画像を構成する画像を特定する情報，編集画像を構成する画像の配置位置を示す情報などを含む編集画像を生成するための情報である。編集情報は，各グループ内で画像の編集が繰り返されることにより更新されていく。最後に更新された編集情報を表すバージョンが，最新の編集情報のバージョンである。
【００３８】
編集情報ＩＤ領域には，編集情報バージョン番号，この編集情報を更新した日時，更新したクライアント・コンピュータ名および更新前の編集情報と現在の編集情報との相違を表す差分編集情報が格納されている。
【００３９】
グループ内での画像の編集過程において，画像の編集を開始するときなどには，クライアント・コンピュータ相互間でコメントの送受信が行われる。このコメントに関する情報がコメントＩＤの領域に格納されている。コメントＩＤにはコメント番号，そのコメントを発行した日時，コメントを発行したクライアント・コンピュータ名およびコメントの内容が格納されている。
【００４０】
画像の編集をするときに，編集画像を構成する画像についてのコメントを編集画像上に上書きすることができる。このコメントを特殊コメントという。特殊コメントに関する情報が，特殊コメントＩＤ領域に格納されている。特殊コメントＩＤ領域には，特殊コメント番号，特殊コメントの発行日時，特殊コメントを発行したクライアント・コンピュータ名および特殊コメントの内容が格納されている。
【００４１】
編集サーバ３０では，高画質プリンタ３６を用いて編集画像を印刷することができる。この印刷に関する情報が印刷記録ＩＤの領域に格納されている。印刷記録ＩＤ領域には，印刷番号，印刷を実行した日時，印刷要求したクライアント・コンピュータ名および印刷の成否が格納されている。
【００４２】
さらに，グループＩＤ領域には，このグループを登録した日時，編集サーバ３０に画像を登録したクライアント・コンピュータ名，登録画像のファイル名，編集用画像ファイルおよび表示画像用縮小画像ファイルが格納されている。画像編集システムでは，画像を編集する場合には，編集サーバ３０に登録されている画像よりも解像度の低い編集用画像が用いられる。また，後述するように，クライアント・コンピュータの表示装置には編集サーバ３０のＨＤに登録されている画像の縮小画像が表示される。これらの編集用画像を表すデータおよび表示画像用縮小画像を表わすデータが編集用画像ファイルおよび表示画像用縮小画像ファイルに格納されている。
【００４３】
さらに，グループＩＤ領域にはグループに含まれるクライアント・コンピュータのＩＤ，そのクライアント・コンピュータがそのグループに登録された日時，クライアント・コンピュータ名およびクライアント・コンピュータのＴＣＰ／ＩＰアドレスが格納されている。
【００４４】
また，グループＩＤ領域にはグループ内でオーナ・フラグを取得したクライアント・コンピュータ名も格納されている。後述するように画像の登録，画像の編集または編集画像の印刷を行おうとするクライアント・コンピュータはオーナ・フラグを取得する。このオーナ・フラグは，各グループ内では１つのクライアント・コンピュータが取得できる。
【００４５】
図４から図８は，最新編集情報の詳細を示している。
【００４６】
図４に示すように最新編集情報には，ヘッダ，オブジェクト列オフセット情報およびオブジェクト情報が格納されている。
【００４７】
ヘッダは管理情報を記述するものである。図５に示すようにヘッダには，version（編集情報のバージョン），original編集情報（編集情報ＩＤ），編集ソフトウェアRevision（画像編集システムのソフトウェアのバージョン），server（編集サーバ３０のアドレス），update（編集情報の更新日時）， updater（編集情報を更新したクライアント・コンピュータ名），clientIP（編集情報を更新したクライアント・コンピュータのＩＰアドレス），clientOS（編集情報を更新したクライアント・コンピュータのオペレーティング・システム），clientPlatform（編集情報を更新しクライアント・コンピュータのＣＰＵ名），clientReso（編集情報を更新したクライアント・コンピュータの表示装置１４の大きさ），clientColordepth（編集情報を更新したクライアント・コンピュータの表示可能な色数），clientCRTMaker（編集情報を更新したクライアント・コンピュータの表示装置のメーカ名），NumofObj（編集画像を構成する画像の駒数）および ObjIDList（編集画像を構成する画像のＩＤ）が格納されている。
【００４８】
図６に示すようにオブジェクト列オフセット情報にはオブジェクト情報へのパスが格納されている。
【００４９】
図７は編集画像を構成する画像のオブジェクト情報の例を示す。
【００５０】
画像のオブジェクト情報には，[Region]，[Image-info]，[Mask-info]および[Color-Collection]が含まれている。
【００５１】
［Region］にはRegion-sx（画像の左上隅のｘ座標），Region-sy（画像の左上隅のｙ座標），Region-w（画像の幅）およびRegion-h（画像の高さ）が含まれている。
【００５２】
［Image-info］には，Format（画像フォーマット），Image-for-thumnail（表示用画像の縮小画像のアドレス），Image-for-edit（編集用画像のアドレス）およびImage-for-source（登録画像のアドレス）が含まれている。
【００５３】
［Mask-info］には，Format（マスク画像の画像フォーマット），Mask-for-thumnail（表示用画像の縮小画像のマスク画像のアドレス），Mask-for-edit（編集用画像のマスク画像のアドレス）およびMask-for-source（登録画像のマスク画像のアドレス）が含まれている。
【００５４】
[Color-collection]には，GammaＲ（赤のガンマ補正値），GammaＧ（緑のガンマ補正値），GammaＢ（青のガンマ補正値），BrightnessＲ（赤の色度点），BrightnessＧ（緑の色度点）および BrightnessＢ（青の色度点）が含まれている。
【００５５】
図８は編集画像を構成するテキストのオブジェクト情報の例を示す。
【００５６】
テキストのオブジェクト情報には，[Region]，[Text-info]および[Font-info]が含まれている。
【００５７】
[Text-info] には，Column（列数），line（行数），TextStrings1（第１行目のテキストの内容），TextStrings2（第２行目のテキストの内容）およびTextStrings3（第３行目のテキストの内容）が含まれている。
【００５８】
[Font-info] には，Font（テキストのフォント），FontSize（テキストのフォントの大きさ），FontColor（テキストの色），FontStyle（フォントの形状），FontDco（フォントの飾り）およびAliasEffect（エッジを滑らかにするか）が含まれいる。
【００５９】
（２）画像編集処理におけるＧＵＩ（Graphical User Interface）
図９は，クライアント・コンピュータの表示装置１４の表示画面８５を示している。
【００６０】
表示画面８５には，編集画像を表示する編集画像表示領域６０が表示される。この編集画像表示領域６０の下部には登録画像表示領域６１が表示される。登録画像表示領域６１は，クライアント・コンピュータが属するグループに登録されている画像を表示する領域である。この領域６１には矢印６２および６３も表示され，これらの矢印６２または６３をマウス８によってクリックすることにより領域６１がスクロールされる。
【００６１】
編集画像表示領域６０の左隣には接続情報表示領域５０が表示される。接続情報表示領域５０には，同一のグループ内において登録されているクライアント・コンピュータの一覧を表示する領域５１，オーナ・フラグを取得しているクライアント・コンピュータ名を表示する領域５２，他のクライアント・コンピュータから送信されたコメントを表示する領域（moorea，yohta などのクライアント名も表示される）５３およびクライアント・コンピュータがオーナ・フラグを取得するときにクリックするオーナ・フラグ領域５４が含まれている。
【００６２】
編集画像表示領域の右隣には，編集用ツール表示領域７０が表示される。この編集用ツール表示領域７０はオーナ・フラグを取得しているクライアント・コンピュータの表示装置の表示画面にのみ表示される（オーナ・フラグを取得しているクライアント・コンピュータにのみ，編集用ツール表示領域７０を表わすデータが編集サーバ３０から送信される。）。編集用ツール表示領域７０は，画像の編集および画像の登録に関するコマンドを入力するために用いられる。オーナ・フラグを取得しているクライアント・コンピュータの表示装置の表示画面に編集用ツール表示領域７０が表示されるので，オーナ・フラグを取得していないクライアント・コンピュータによって画像の登録処理のためのコマンド入力が行われるなどの誤動作を防止できる。
【００６３】
編集画像表示領域７０には画像をトリミングするときに，クリックされる領域７１，画像を回転させるときにクリックされる領域７２，画像のコントラストを変更するときにクリックされる領域７３，画像を拡大または縮小させるときにクリックされる領域７４，画像を移動させるときにクリックされる領域７５，テキストを入力するときにクリックされる領域７６，画像を編集サーバ３０に登録するときにクリックされる領域７７およびオーナ・フラグを廃棄するときにクリックされる領域７８が含まれている。
【００６４】
さらに接続情報表示領域５０の下方には，コメント入力領域８０が表示される。コメント表示領域８０には，入力したコメントが表示される領域８１ならびにコメントを特殊コメントとして他のクライアント・コンピュータに送信するときにクリックされる領域８２およびコメントを編集サーバ３０に送信するときにクリックされる領域８３が含まれている。
【００６５】
（３）画像編集処理
図１０から図１２は，画像編集システムのクライアント・コンピュータの処理手順を示すフローチャートである。図１３および図１４は，画像編集システムの編集サーバ３０の処理手順を示すフローチャートである。
【００６６】
編集サーバ３０が起動すると（ステップ１１０），クライアント・コンピュータからのコマンド待ちとなる（ステップ１１１）。
【００６７】
クライアント・コンピュータが起動させられると（ステップ９１），接続コマンドがクライアント・コンピュータから編集サーバ３０に送信される（ステップ９２）。
【００６８】
クライアント・コンピュータから送信されたコマンドが接続コマンド，オーナフラグ取得コマンド，画像登録処理コマンド，画像編集処理コマンド，画像印刷処理コマンドまたは編集情報ロード・コマンドのいずれであるかが解析される（ステップ１１２）。解析の結果，接続コマンドであればクライアント・コンピュータから送信されたコマンド中に含まれる，クライアントＩＤ，登録日時，クライアント・コンピュータ名およびＴＣＰ／ＩＰアドレスがシステム・データベース３５に格納される（ステップ１１３）。これらのクライアントＩＤ，登録日時，クライアント・コンピュータ名およびＴＣＰ／ＩＰアドレスは，後述するようにクライアント・コンピュータのグループが選択されると，選択されたグループに関連づけられる。また，接続の許可または不許可を表すデータが接続コマンドを送信したクライアント・コンピュータに送信される（ステップ１１４，特定のクライアント・コンピュータに送信することを応答コマンドという）。
【００６９】
接続コマンドを送信したクライアント・コンピュータが編集サーバ３０からの接続の許可を表すデータを受信すると（ステップ９３，９４），そのクライアント・コンピュータが属するグループの選択が行われる。
【００７０】
グループの選択に先立ち，クライアント・コンピュータの表示装置１４の表示画面にはグループ選択用のウインドウ（図示略）が表示される。このグループ選択用のウインドウを用いて既存グループか新規グループかが選択される。
【００７１】
新規グループは新たにグループを作成する場合に選択される。新規グループの選択であれば，新規グループを選択したクライアント・コンピュータによってオーナ・フラグ取得処理が行われる（ステップ９６）。オーナ・フラグの取得処理についての詳細は，後述する。
【００７２】
オーナ・フラグ取得のために，オーナ・フラグ取得コマンドがクライアント・コンピュータから編集サーバ３０に送信される。編集サーバ３０においてオーナ・フラグ取得コマンドが解析され，オーナ・フラグ取得コマンドを送信したクライアント・コンピュータが属するグループにおいて他のクライアント・コンピュータがすでにオーナ・フラグを取得しているかどうかがチェックされる（ステップ１１５，１１６）。オーナ・フラグ取得の許可または不許可のチェック結果がクライアント・コンピュータに送信される（ステップ１１７）。
【００７３】
新規グループの場合，新規グループを選択したクライアント・コンピュータ以外にそのグループにクライアント・コンピュータは属していない。このために新規グループを選択したクライアント・コンピュータは常にオーナ・フラグを取得できる。
【００７４】
オーナ・フラグを取得すると，次に画像の登録を行うか，画像の編集を行なうか，画像の印刷を行なうかが，クライアント・コンピュータのユーザによって指定される。
【００７５】
画像の登録を行なう場合は，編集用ツール表示領域７０に含まれている画像登録領域７７がクリックされる（ステップ９７）。これにより画像登録処理に移行する。画像登録処理の詳細は，後述する。
【００７６】
画像登録処理コマンドがクライアント・コンピュータから編集サーバ３０に送信される。また，編集サーバ３０のシステム・データベース３５に登録する画像を表す画像データがクライアント・コンピュータから編集サーバ３０に送信される。編集サーバ３０は画像登録処理コマンドと解析すると（ステップ１１２），送信された画像データは，画像登録処理コマンドを送信したクライアント・コンピュータが属するグループの画像としてシステム・データベース３５に登録される（ステップ１１５，１１８）。
【００７７】
クライアント・コンピュータから送信された画像は印刷用の高画質のものである。編集サーバ３０において，高画質の画像データから編集用画像を表わす画像データおよび表示用縮小画像を表す画像データが生成される（ステップ１１９）。生成された編集用画像を表す画像データおよび表示用縮小画像データも上述のようにシステム・データベース３５に格納される。
【００７８】
また，生成された編集用画像を表す画像データおよび表示用縮小画像データは，画像登録したクライアント・コンピュータが属するグループであって編集サーバ３０に接続されているすべてのクライアント・コンピュータに送信される（ステップ１２０，ブロードキャスト）。これによりクライアント・コンピュータの表示装置の表示画面の登録画像表示領域６１には編集画像サーバ３０に新規に登録された画像に対応する表示用縮小画像が表示され，編集画像表示領域６０には編集用画像が表示される。
【００７９】
クライアント・コンピュータのユーザがオーナ・フラグを廃棄しなければ（ステップ１０１でＮＯ），画像登録処理，画像編集処理または画像印刷処理のいずれかの処理が可能となる（ステップ９７，９８，９９）。
【００８０】
画像編集処理が行われた場合には，この画像編集処理によって新たに作成された編集情報を含む画像編集処理コマンドがクライアント・コンピュータから編集サーバ３０に送信される。
【００８１】
編集サーバ３０においてコマンドが解析される（ステップ１１２）。画像編集処理コマンドであることが分ると，クライアント・コンピュータが属するグループが検索され（ステップ１１５），見つかったグループに対応する，システム・データベース３５に格納されている編集情報が更新される（ステップ１２４）。更新された編集情報は，編集サーバ３０から画像編集処理コマンドを送信したクライアント・コンピュータが属するグループ内のクライアント・コンピュータであって，編集サーバ３０に接続されている（登録されている）すべてのクライアント・コンピュータに送信される（ステップ１２５）。これにより，編集サーバ３０に接続されているクライアント・コンピュータの表示装置１４の表示画面上の編集画像表示領域６０に新たに編集された画像が表示される。
【００８２】
画像印刷処理が行われる場合には，画像印刷コマンドがクライアント・コンピュータから編集サーバ３０に送信される。
【００８３】
編集サーバ３０においてコマンドが解析される（ステップ１１２）。画像印刷コマンドであることが分ると，クライアント・コンピュータが属するグループが検索され（ステップ１１５），見つかったグループに対応する，システム・データベース３５に格納されている編集情報にもとづいて画像の編集処理が行われる。編集された画像を表す画像データが高画質プリンタ３６に与えられ高画質な編集画像が印刷される（ステップ１２６）。印刷の成否がクライアント・コンピュータに送信される（ステップ１２７）。印刷された編集画像はクライアント・コンピュータのユーザに郵送で届けられることとなる。システム・データベース３５において印刷に関するデータが記録されるのはいうまでもない。
【００８４】
オーナ・フラグを取得したクライアント・コンピュータにおいてオーナ・フラグが廃棄されると（ステップ１０１でＹＥＳ），編集サーバ３０から送信されるブロードキャスト・コマンド（編集サーバ３０に接続されているグループ内のクライアント・コンピュータのすべてに編集サーバ３０から送信するコマンドをブロードキャスト・コマンドという）の受信待ちの状態となる（ステップ１０２）。クライアント・コンピュータの回線が切断されることにより，クライアント・コンピュータの処理は終了する（ステップ１０３）。
【００８５】
次にクライアント・コンピュータが既存のグループを選択した場合の処理について説明する。
【００８６】
既存のグループを選択した場合（ステップ９５），クライアント・コンピュータに編集情報（ハードディスクに格納される）が格納されているかどうかが確認される（ステップ１０４）。
【００８７】
編集情報が格納されていないときには，編集情報をロードするコマンドがクライアント・コンピュータから編集サーバ３０に送信される。
【００８８】
編集サーバ３０において，クライアント・コンピュータから送信されたコマンドが解析され，編集情報ロード・コマンドであることが分ると対応するグループについての編集情報がシステム・データベース３５から読出される（ステップ１１５，１２１）。読出された編集情報が編集サーバ３０からクライアント・コンピュータに送信される（ステップ１２２，１０５）。
【００８９】
クライアント・コンピュータに編集情報が格納されているときには，その編集情報のバージョンを示すデータがクライアント・コンピュータから編集サーバ３０に送信される。
【００９０】
編集サーバ３０においてクライアント・コンピュータから送信されたデータにもとづいてクライアント・コンピュータに格納されている編集情報のバージョンがチェックされる。このチェックにより，編集サーバ３０に格納されている最新編集情報のバージョンとクライアント・コンピュータに格納されている編集情報のバージョンとが同じであることが分れば，クライアント・コンピュータに格納されている編集情報が最新のものであるからその編集情報を用いて編集画像表示領域６０に表示される編集画像が生成される。クライアント・コンピュータに格納されている編集情報のバージョンが編集サーバ３０に格納されている編集情報のバージョンよりも古ければ，新たなバージョンと古いバージョンとの変更差分を表す編集情報が編集サーバ３０からクライアント・コンピュータに送信される（ステップ１２２）。最新の編集情報が作成される。
【００９１】
クライアント・コンピュータにおいて編集情報が格納されると，クライアント・コンピュータはブロードキャスト・コマンド受信状態となる。クライアント・コンピュータの回線が切断されず，オーナ・フラグの取得処理に移行すると（ステップ１０９）それ移行の処理は新規グループの選択処理と同様となるので重複説明を避ける（ステップ９６から１０１）。
【００９２】
（４）各具体的処理
▲１▼オーナ取得処理
図１５は，オーナ取得処理の処理手順を示すフローチャートである。
【００９３】
上述のようにクライアント・コンピュータが編集サーバ３０と接続されると，クライアント・コンピュータの表示装置１４の表示画面には図９に示すように画像編集用画面（ＧＵＩ）が表示される。このＧＵＩの接続表示領域５０内のオーナ取得領域５４がクリックされることにより，オーナ取得処理に移行する（ステップ１２８）。
【００９４】
オーナ取得領域５４がクリックされると，そのグループ内でのオーナの取得が可能かどうかが，クライアント・コンピュータから編集サーバ３０に問い合わせられる（ステップ１２９）。
【００９５】
編集サーバ３０において，オーナ取得の問い合わせがあると，上述のようにシステム・データベース３５に格納されているオーナ・フラグを参照して，問い合わせをしたクライアント・コンピュータが属するグループのオーナ・フラグが空いているかどうかが，チェックされる。このチェック中は，クライアント・コンピュータの表示装置の表示画面には「問い合わせ中」と表示される（ステップ１３０）。
【００９６】
他のクライアント・コンピュータがオーナ・フラグを取得しているときには，接続表示領域５０のオーナ・フラグ表示領域５２にオーナ・フラグを取得しているクライアント・コンピュータ名が表示される（ステップ１３１，１３２）。このときはオーナ取得を問い合わせたクライアント・コンピュータのユーザはオーナ・フラグを取得できない。
【００９７】
他のクライアント・コンピュータがオーナ・フラグを取得していないときには，接続表示領域５０のオーナ取得領域５４にオーナ取得の旨が表示される（ステップ１３３）。クライアント・コンピュータがオーナ・フラグを取得したことに伴い，表示画面上に編集用ツール表示領域７０が表示される（ステップ１３４）。オーナ・フラグを取得したクライアント・コンピュータのユーザは，表示画面上に表示された編集用ツール表示領域７０を利用して画像編集などのためのコマンドを入力する。編集サーバ３０によってシステム・データベース３５にオーナ・フラグを取得したクライアント・コンピュータ名が書込まれる。
【００９８】
▲２▼画像登録処理
図１６は，クライアント・コンピュータから編集サーバ３０に画像を登録する処理を示すフローチャートである。
【００９９】
上述のように，オーナ・フラグを取得したクライアント・コンピュータの表示画面には編集用ツール表示領域７０が表示されている。この編集用ツール表示領域７０の画像登録領域７７をマウス８を用いてクリックすることにより画像登録処理に移行する（ステップ１４１）。
【０１００】
画像登録領域７７がクリックされることにより，表示装置１４の表示画面上には画像のファイル名を入力するためのウインドウ（図示略）が表示される。このウインドウに編集サーバ３０に登録するための画像のファイル名が入力される（ステップ１４２）。ファイル名が入力されると，編集サーバ３０に画像登録の可否が問い合わせられる（ステップ１４３）。この問い合わせに応答して，編集サーバ３０において画像登録の可否の判断が行われる。編集サーバ３０に画像登録の可否を問い合わせしている間は，クライアント・コンピュータの表示画面上に「問い合わせ中」と表示される（ステップ１４４）。
【０１０１】
編集サーバ３０からクライアント・コンピュータに画像登録について許可を表すデータが送信されてくると（ステップ１４５でＹＥＳ），入力したファイル名をもつ画像を表す画像データがクライアント・コンピュータから編集サーバ３０に送信される（ステップ１４６）。この画像データの送信中は，画像送信中の旨が表示画面上に表示される（ステップ１４７）。
【０１０２】
クライアント・コンピュータから編集サーバ３０に画像データの送信が終了すると（ステップ１４８），上述のように編集サーバ３０において画像の登録処理が行われかつ表示用縮小画像および編集用画像の生成処理が行われる。生成された表示用縮小画像を表す画像データおよび画像登録を行った旨の通知が編集サーバ３０からクライアント・コンピュータに送信され，クライアント・コンピュータにおいて受信される（ステップ１４９）。クライアント・コンピュータの表示画面の登録画像表示領域６１に，編集サーバ３０に新規に登録した画像が新たに表示されることとなる（ステップ１５０）。
【０１０３】
▲３▼画像編集処理
図１７は，画像編集処理手順を示すフローチャートである。図２２から図２４はクライアント・コンピュータの表示装置１４の表示画面を示している。
【０１０４】
オーナ・フラグを取得したクライアント・コンピュータの表示画面上に表示されている編集用ツール表示領域７０を利用して画像編集処理が行われる。
【０１０５】
編集画像表示領域６０に表示されている編集画像（または編集用画像）に，登録画像表示領域６１に表示されている画像を加える場合，登録画像表示領域６１に表示されている縮小画像がポイントされ，かつクリックされる（ステップ１６１）。クリックされた縮小画像に対応する編集用画像を編集サーバ３０からクライアント・コンピュータに送信させるために，縮小画像のファイル名を表すデータがクライアント・コンピュータから編集サーバ３０に送信される（ステップ１６２）。
【０１０６】
編集サーバ３０において縮小画像のファイル名から編集用画像のファイル名が検索される。編集用画像を表わす画像データが見つけられる。クリックした縮小画像に対応する編集用画像を表わす編集用画像データが編集サーバ３０から送信され，クライアント・コンピュータにおいて受信される（ステップ１６３）。受信した編集用画像データによって，編集画像表示領域６０に編集用画像が表示される（ステップ１６４）。編集画像表示領域６０に編集用画像が表示されると，その編集用画像について各種の編集処理が行われる（ステップ１６５）。この各種編集処理については，後述する。各種編集処理が終了すると，その編集処理後の画像が編集画像表示領域６０に表示される（ステップ１６６）。
【０１０７】
クライアント・コンピュータにおいて画像の編集が終了すると，その編集画像を編集サーバ３０において生成するためにクライアント・コンピュータから編集サーバ３０に編集情報コマンド（画像編集処理コマンド）が送信される（ステップ１６７）。
【０１０８】
編集情報を編集サーバ３０が受信すると，システム・データベース３５に格納されている編集情報が受信した編集サーバ３０によって更新される。この編集情報の更新に伴い，古い編集情報と最新の編集情報とが比較され，編集情報の差分が見つけ出される。編集情報ＩＤ領域に格納されている編集情報の差分を表わすデータも更新される。
【０１０９】
編集サーバ３０において編集情報の差分を表わすデータが更新されると，更新された編集情報の差分を表わすデータが編集サーバ３０から他のクライアント・コンピュータに送信され，他のクライアント・コンピュータの編集情報が更新される（ステップ１６８）。更新された編集情報にもとづいて，他のクライアント・コンピュータの表示画面上の編集画像表示領域６０の編集画像が再表示される（ステップ１６９）。
【０１１０】
図２２を参照して，登録画像表示領域６１に表示されている表示用縮小画像のうち縮小画像Ｉ１およびＩ２がポイントされ，かつクリックされるとこれらの縮小画像のファイル名を表すデータがクライアント・コンピュータから編集サーバ３０に送信される。編集サーバ３０にこれらの縮小画像のファイル名を表わすデータが受信されると，編集サーバ３０からグループ内のすべてのクライアント・コンピュータに，指定された縮小画像に対応する編集画像を表わす編集画像データが送信される。これによりクライアント・コンピュータの表示画面の編集画像表示領域６０に縮小画像Ｉ１およびＩ２に対応する編集画像が表示される。
【０１１１】
次に編集画像表示領域６０において，行われる各種編集処理について説明する。
【０１１２】
図１８（Ａ）から（Ｆ）は，各種編集処理において利用されるウインドウを示している。このウインドウは，クライアント・コンピュータの表示画面上に現れるものである。
【０１１３】
（Ａ）は，トリミングの形状を設定するためのウインドウＷ１である。編集用画像のトリミングの形状を設定するには，編集用ツール表示領域７０のトリミング領域７１がクリックされる。このクリック入力に応答して，（Ａ）に示すウインドウＷ１が表示装置１４の画面に表示される。ウインドウＷ１にはさまざまなトリミングの形状が表示されている。表示されているトリミングの形状をクリックすることにより形状が選択される。ウインドウＷ１には，矢印１７１および１７２も含まれており，これらの矢印１７１または１７２をクリックすることによりウインドウＷ１がスクロールされる。ＯＫの領域がクリックされることにより，トリミングの形状が決定する。
【０１１４】
（Ｂ）は，画像の回転を設定するためのウインドウＷ２である。画像の回転を設定するには，編集用ツール表示領域７０の回転領域７２がクリックされる。このクリックにより，（Ｂ）に示すウインドウＷ２が表示装置の画面に表示される。回転角がキーボード７から入力されるウインドウＷ２には入力した回転の角度を表示する回転角表示領域１７３が含まれており，この領域１７３にキーボード７から入力した回転角が表示される。回転角を決定すると，ＯＫの領域がクリックされ，回転角が確定する。
【０１１５】
（Ｃ）は，コントラスト調整のためのウインドウＷ３である。コントラスト調整をするには，編集用ツール表示領域７０のコントラスト領域７３がクリックされる。このクリックにより，（Ｃ）に示すウインドウＷ３が表示装置の画面に表示される。ウインドウＷ３にはコントラストを弱めるときにクライアント・コンピュータのユーザによってクリックされる領域１７４およびコントラストを強めるときにクライアント・コンピュータのユーザによってクリックされる領域１７５が含まれている。これらの領域がクリックされることにより，編集画像表示領域６０に表示されている編集画像のコントラストが変化する。コントラストが決定すると，ＯＫ領域がクリックされ，編集画像のコントラストが確定する。
【０１１６】
（Ｄ）は，ズーム調整のためのウインドウＷ４である。ズーム調整をするには，編集用ツール表示領域７０のズーム領域７４がクリックされる。このクリックにより，（Ｄ）に示すウインドウＷ４が表示装置の画面に表示される。ウインドウＷ４内には，「拡大」の文字が表示されているが，この「拡大」の文字上をクリックすると「縮小」の文字に切り替わる。「拡大」または「縮小」の文字上をクリックすることにより，編集画像の拡大または縮小を指定できる。
【０１１７】
拡大率または縮小率はキーボード７から入力される。拡大率または縮小率が入力されると，領域１７６に表示される。入力した拡大率または縮小率が決定すると，ＯＫ領域がクリックされ，確定する。
【０１１８】
（Ｅ）は，編集画像にテキストを加入するためのウインドウＷ５である。編集画像にテキストを加入するには，編集用ツール表示領域７０の文字入れ領域７６がクライアント・コンピュータのユーザによってクリックされる。このクリックにより，（Ｅ）に示すウインドウＷ５が表示装置１４の画面に表示される。ウインドウＷ５には，編集画像に加入するテキストを表示する領域１７７が含まれている。編集画像に加入するテキストがキーボード７から入力され，入力された文字は領域１７７に表示される。ユーザによって，ＯＫ領域がクリックされることにより編集画像上に加入するテキストが確定する。図２２では，「ようこそ！」という文字が入力されこのウインドウＷ５を利用して編集画像上に加入されている。
【０１１９】
（Ｆ）は，編集画像を構成する画像の位置または加入されたテキストの位置を移動するためのウインドウＷ６である。編集用ツール表示領域７０の移動領域７５がクリックされることにより，（Ｆ）に示すウインドウＷ６が表示装置１４の画面に表示される。このウインドウＷ６には，画像またはテキストを上下左右に動かすための矢印１７８が含まれている。移動させる画像またはテキストを編集画像表示領域６０上においてポイントし，かつクリックすることにより指定し，ウインドウＷ６内の矢印１７８をクリックすることにより所望の位置まで移動する。移動する位置が決定すると，ＯＫ領域がクリックされ移動位置が確定する。
【０１２０】
▲４▼オーナ廃棄処理
図１９は，オーナ・フラグを取得したクライアント・コンピュータがそのオーナ・フラグを廃棄する処理手順を示すフローチャートである。
【０１２１】
オーナ・フラグを取得している場合，表示画面８５上には編集ツール表示領域７０が表示されている。この編集用ツール表示領域７０内の「戻る」領域７８がクリックされることにより，オーナ廃棄処理に移行する（ステップ１８１）。「戻る」領域７８がクリックされると，表示画面８５にはオーナ廃棄確認ウインドウ（図示略）が表示される（ステップ１８２）。
【０１２２】
オーナ廃棄確認ウインドウにおいて，オーナを廃棄することの確認が行われると（ステップ１８３でＹＥＳ），クライアント・コンピュータから編集サーバ３０にオーナ廃棄の問い合わせが行われる（ステップ１８４）。
【０１２３】
編集サーバ３０において，オーナ廃棄の問い合わせがあると，問い合わせたクライアント・コンピュータがオーナ・フラグを取得しているかどうかがシステム・データベース３５を参照して確認される。編集サーバ３０に問い合わせをしている最中には，クライアント・コンピュータの表示画面上には「オーナ廃棄中」と表示される（ステップ１８５）。
【０１２４】
オーナ・フラグ廃棄を問い合わせたクライアント・コンピュータがオーナ・フラグを取得していることが確認されると，システム・データベース３５からオーナ・フラグを取得していたクライアント・コンピュータ名が削除される。オーナ廃棄処理が終了する。編集サーバ３０からオーナ廃棄処理が終了した旨のデータがクライアント・コンピュータに送信され，クライアント・コンピュータにおいて受信されると（ステップ１８６），クライアント・コンピュータの表示画面には「オーナ廃棄」と表示される（ステップ１８７）。クライアント・コンピュータがオーナを廃棄したことにより，表示画面８５に表示されていた編集用ツール表示領域７０は消去される。
【０１２５】
▲５▼コメント送受信処理
図２０は，コメント送受信の処理手順を示すフローチャートである。
【０１２６】
コメント入力領域８０内のコメント表示領域８１を，クライアント・コンピュータがクリックすることにより，領域８１にコメント入力が可能となる。
【０１２７】
クライアント・コンピュータのキーボード７からコメントが入力される（ステップ１９１）。コメントが入力されると，「送信」領域がクリックされることにより，入力されたコメントを表すテキスト・データがクライアント・コンピュータから編集サーバ３０に送信される（ステップ１９２）。
【０１２８】
クライアント・コンピュータから送信されたコメントを表すテキスト・データは，編集サーバ３０において受信され，上述のようにコメント番号，コメント発行日時およびコメントを発行したクライアント名とともにシステム・データベース３５に格納される。編集サーバ３０において，これらのコメントなどが格納されると，コメントを発行したクライアント・コンピュータが属するグループ内のクライアント・コンピュータであって編集サーバ３０に接続されている他のすべてのクライアント・コンピュータにそのコメントが送信される（ステップ１９３）。
【０１２９】
コメントを受信したクライアント・コンピュータにおいて，表示画面８５の接続情報表示領域５０のコメント表示領域５３が更新される（ステップ１９４）。
【０１３０】
▲７▼特殊コメント送受信
図２１は，特殊コメント送受信の処理手順を示すフローチャートである。
【０１３１】
クライアント・コンピュータのキーボード７を用いて特殊コメントが入力される（ステップ２０１）。入力された特殊コメントの内容が，領域８１に表示される。
【０１３２】
特殊コメントは，編集画像上に表示される。このため，コメントを表示する位置を指定するように表示画面上で促される（ステップ２０２）。編集画像上にコメントを表示する位置がマウス６によって指定される（ステップ２０３）。指定されると，その指定位置が検出される（ステップ２０４）。
【０１３３】
コメント入力領域８０の「指示」領域がクリックされることにより，指定位置および入力されたコメントを表わすデータが，特殊コメント番号，コメント発行日時および特殊コメントを発行したクライアント・コンピュータ名とともにクライアント・コンピュータから編集サーバ３０に送信される（ステップ２０５）。
【０１３４】
編集サーバ３０において，指定位置および入力されたコメントを示すデータが受信されると，システム・データベース３５に格納されている特殊コメントに関するデータが更新される（ステップ２０６）。編集サーバ３０によって，システム・データベース３５に格納されている特殊コメントに関するデータが更新されると，更新された特殊コメントに関するデータが，特殊コメントを発行したクライアント・コンピュータが属するグループ内のクライアント・コンピュータであって編集サーバ３０に接続されているすべての他のクライアント・コンピュータに送信される。特殊コメントに関するデータを他のクライアント・コンピュータが受信すると，編集画像表示領域６０に表示されている編集画像上に指定された位置で特殊コメントが表示される（ステップ２０７）。
【０１３５】
（４）編集画像の再編集
【０１３６】
上述のように，オーナ・フラグを取得した一のクライアント・コンピュータによって，図２２に示すように編集画像が生成される。
【０１３７】
つづいて，他のクライアント・コンピュータによって，一のクライアント・コンピュータが生成した編集画像の再編集処理を行なう場合には，再編集処理を行なう他のクライアント・コンピュータがオーナ・フラグを取得する。
【０１３８】
オーナ・フラグを取得した他のクライアント・コンピュータによって，例えば編集画像中の画像Ｉ２の大きさを小さくする場合には，編集画像中の画像Ｉ２がポイントされ，かつクリックされかつ上述のようにズーム領域７４がクリックされ，画像の縮小率が設定される。これにより，画像Ｉ２が縮小率に応じて図２３に示すように，縮小する。
【０１３９】
このようにして再編集された編集画像をさらに再編集するときには，再編集するクライアント・コンピュータのユーザによってオーナ・フラグが取得される。オーナ・フラグを取得したクライアント・コンピュータのユーザによって，例えば，画像Ｉ２の位置をもう少し右にするように特殊コメントが入力される。この特殊コメントの入力により図２４に示すように編集画像上に特殊コメントが表示される。この特殊コメントを見て，その特殊コメントにもとづいた編集画像が生成されるようにいずれかのクライアント・コンピュータにおいて，オーナ・フラグを取得して編集処理が行われる。
【０１４０】
以上のようにして，図９に示したように最終的な編集画像が生成される。複数のクライアント・コンピュータのユーザによって１つの編集画像が生成されることとなる。
【０１４１】
（Ｂ）第２実施例
上述した第１実施例においては，グループ内の一のクライアント・コンピュータのみがオーナ・フラグを取得し，オーナ・フラグを取得した一のクライアント・コンピュータが画像編集を許可される。グループ内の一のクライアント・コンピュータがオーナ・フラグを取得しているときはグループ内の他のクライアント・コンピュータは画像編集が許可されない。
【０１４２】
第２実施例においては，編集画像全体について編集する場合と，編集画像を構成する画像（オブジェクト画像という）について編集（オブジェクト画像の追加，変更（オブジェクト画像の配置位置の変更，オブジェクト画像の拡大，縮小を含む），削除など）する場合がある。
【０１４３】
編集画像全体について編集する場合には，上述した第１実施例と同様にグループ内の一のクライアント・コンピュータのみがオーナ・フラグ（編集画像オーナ・フラグという）を取得でき，編集画像オーナ・フラグを取得した一のクライアント・コンピュータが編集画像全体の画像編集を許可される。グループ内の一のクライアント・コンピュータのみが編集画像オーナ・フラグを取得しているときはグループ内の他のクライアント・コンピュータは編集画像全体の画像編集が許可されない。
【０１４４】
オブジェクト画像について編集する場合には，編集画像を構成するオブジェクト画像のうち編集する対象のオブジェクト画像についてのオブジェクト画像オーナ・フラグを取得する。オブジェクト画像オーナ・フラグを取得した一のクライアント・コンピュータが，対応するオブジェクト画像についてオブジェクト画像編集を許可される。オブジェクト画像オーナ・フラグを取得していない他のクライアント・コンピュータは，一のクライアント・コンピュータが取得したオブジェクト画像オーナ・フラグについてのオブジェクト画像の編集は許可されない（オブジェクト画像オーナ・フラグを取得できない）。一のクライアント・コンピュータが取得したオブジェクト画像オーナ・フラグについてのオブジェクト画像以外の他のオブジェクト画像の編集は他のクライアント・コンピュータに許可される。もっともその，他のオブジェクト画像についてのオブジェクト画像オーナ・フラグまたは編集画像オーナ・フラグをさらに他のクライアント・コンピュータが取得しているとオブジェクト画像編集は他のクライアント・コンピュータのユーザに許可されない。
【０１４５】
図２５は，システム・データ・ベース３５に格納されている１つのグループについてのデータ構成を示している。図２５は，図３に対応している。図２５において図３と異なるデータ構成の部分がハッチングで示されている。
【０１４６】
図２５では，図３においてグループＩＤによって管理されているオーナ・フラグが編集画像オーナ・フラグという名称で管理されている。この編集画像オーナ・フラグは，編集画像に対応して規定されている。
【０１４７】
また，編集情報ＩＤによって新たに，最新オブジェクト情報バージョン，最新オブジェクト情報，オブジェクト画像オーナ・フラグ，オブジェクトＩＤ（オブジェクト画像を識別する）およびクライアントＩＤが管理されている。編集情報ＩＤによって新たに管理されたこれらの情報は編集画像を構成する各オブジェクト画像に対応している。
【０１４８】
また，オブジェクトＩＤによってオブジェクト編集情報バージョン番号，更新日時，更新したクライアント名および前のバージョンのオブジェクト編集情報と最新のオブジェクト編集情報との差分を表わす差分オブジェクト編集情報が管理されている。
【０１４９】
図２６は，クライアント・コンピュータの表示装置の表示画面の一例を示している。この図において図９に示す機能と同一の機能を示す領域については同一符号を付して説明を省略する。
【０１５０】
画面の左側には，接続情報表示領域５０Ａが表示されている。この接続情報表示領域５０Ａにはオーナ・フラグを取得しているクライアント・コンピュータ名を表示する領域５２Ａが含まれている。この第２実施例においては，編集画像を構成する各オブジェクト画像ごとにオーナ・フラグを取得することができるので，編集画像のオーナ・フラグを取得しているクライアント・コンピュータ名に加えて各オブジェクト画像のオーナ・フラグを取得している，クライアント・コンピュータ名が表示される。図２６においては第１のオブジェクト画像（オブジェクトＩＤ１）のオーナ・フラグを取得しているクライアント・コンピュータ名，第２のオブジェクト画像（オブジェクトＩＤ２）のオーナ・フラグを取得しているクライアント・コンピュータ名，第３のオブジェクト画像（オブジェクトＩＤ３，ここでは第３のオブジェクト画像はテキストである）のオーナ・フラグを取得しているクライアント・コンピュータ名および第４のオブジェクト画像（オブジェクトＩＤ４）のオーナ・フラグを取得しているクライアント・コンピュータ名および編集画像のオーナ・フラグを取得しているクライアント・コンピュータ名が領域５２Ａに表示される。
【０１５１】
編集画像が５つ以上のオブジェクト画像または３つ以下のオブジェクト画像により構成されているときにはそのオブジェクト画像の数に対応してオーナ・フラグを有しているクライアント・コンピュータ名（もしあれば）が領域５２Ａに表示される。
【０１５２】
画面の右下には，オブジェクト画像表示領域９０が表示されている。オブジェクト画像表示領域９０は編集画像表示領域６０に表示されている編集画像を構成するオブジェクト画像を表示する領域である。図２６に示す例では編集画像表示領域６０に表示されている編集画像は第１のオブジェクト画像Ｉ１，第２のオブジェクト画像Ｉ２，第３のオブジェクト画像Ｉ３および第４のオブジェクト画像Ｉ４から構成されている。オブジェクト画像表示領域６０の第１の領域９１に第１のオブジェクト画像Ｉ１が表示され，第２の領域９２に第２のオブジェクト画像Ｉ２が表示され，第３の領域９３に第３のオブジェクト画像Ｉ３が表示され，第４の領域９４に第４のオブジェクト画像Ｉ４が表示されている。
【０１５３】
図２７は編集画像のオーナ・フラグの要求がクライアント・コンピュータからあった場合の編集サーバ３０の処理手順を示すフローチャートである。
【０１５４】
編集画像のオーナ・フラグの要求をクライアント・コンピュータのユーザが行う場合には，クライアント・コンピュータの表示装置１４の表示画面に表示されている編集画像表示領域６０（図２６参照）がマウス８によりクリックされ，編集画像表示領域６０が選択状態とされる。その後オーナ取得領域５４がクライアント・コンピュータのユーザによってクリックされることにより，選択状態とされている編集画像表示領域６０に表示されている編集画像のオーナ・フラグの要求を表すデータがクライアント・コンピュータから編集サーバ３０に送信される。
【０１５５】
編集サーバ３０において編集画像のオーナ・フラグの要求を表すデータが受信されると（ステップ２１１），システム・データベース３５が参照され，要求したクライアント・コンピュータが属するグループの編集情報オーナ・フラグの状態が確認される（ステップ２１２）。
【０１５６】
編集情報オーナ・フラグがセットされているということは（ステップ２１３でＹＥＳ），他のクライアント・コンピュータが編集情報オーナ・フラグを取得しており，編集画像全体の編集を行っていることを示している。編集情報オーナ・フラグを要求したクライアント・コンピュータには編集情報オーナ・フラグ取得不許可通知が編集サーバ３０から送信される（ステップ２１４）。編集情報オーナ・フラグを要求したクライアント・コンピュータは編集情報オーナ・フラグを取得できない。編集情報全体の編集もできない。
【０１５７】
編集情報オーナ・フラグがリセットされていると（ステップ２１３でＮＯ），システム・データベース３５の編集画像オーナ・フラグがセットされる（ステップ２１５）。また，編集画像オーナ・フラグは編集画像全体の編集を許可するオーナ・フラグであるから，編集画像オーナ・フラグが取得されているときには編集画像オーナ・フラグを取得したクライアント・コンピュータ以外の他のクライアント・コンピュータのユーザはオブジェクト画像の編集も認められない。このため，編集画像オーナ・フラグがセットされると，編集画像を構成する全部のオブジェクト画像オーナ・フラグもセットされる（ステップ２１６）。
【０１５８】
編集画像オーナ・フラグを要求したクライアント・コンピュータに，編集画像オーナ・フラグの取得を許可する通知が画像サーバ３０から送信される（ステップ２１７）。また，編集画像オーナ・フラグを取得したクライアント・コンピュータと同じグループのクライアント・コンピュータに編集画像オーナのクライアント・コンピュータ名がブロードキャスト・コマンドで送信される（ステップ２１８）。これにより，各クライアント・コンピュータの表示装置１４の表示画面に表示されている領域５２Ａには編集画像オーナ・フラグを取得したクライアント・コンピュータ名が表示されることとなる。
【０１５９】
編集画像オーナ・フラグを取得したクライアント・コンピュータのユーザは，上述した第１実施例と同様にして編集画像全体の編集を行うようになる。
【０１６０】
図２８および図２９は，編集画像オーナ・フラグを取得したクライアント・コンピュータにおいて編集画像全体の編集を行った場合にこれに応答して編集サーバ３０が行う処理の手順を示すフローチャートである。
【０１６１】
クライアント・コンピュータにおいて編集画像全体の編集が行われると，画像サーバに保存されていても編集情報に編集後の画像を反映させるために，クライアント・コンピュータから画像サーバ３０に編集情報更新要求が送信される。
【０１６２】
画像サーバ３０において編集情報更新要求が受信される（ステップ２２１）。その後，編集後の画像を表すように編集情報が更新される（ステップ２２２）。クライアント・コンピュータから画像サーバ３０には編集情報更新要求とともに新たな編集情報を表すデータが送信され，この新たな編集情報を表すデータにもとづいて編集情報が更新される。
【０１６３】
編集情報が更新されると，グループＩＤによって管理される編集情報バージョンも更新される（ステップ２２３）。さらに，前バージョンの編集情報と最新の編集情報との差分を表わす差分編集情報が，新たな差分編集情報として編集情報ＩＤによって管理される（ステップ２２４）。
【０１６４】
次にオブジェクト情報の更新（または登録）が行われる（ステップ２２５）。
【０１６５】
オブジェクト画像の追加があると（ステップ２２５でＹＥＳ），それが新規に追加したオブジェクト画像かどうかが判定される（ステップ２２６）。新規に追加したオブジェクト画像であれば（ステップ２２６でＹＥＳ），その追加したオブジェクト画像についてのオブジェクト情報がシステム・データベース３５に記録される（ステップ２２７）。
【０１６６】
オブジェクト画像の追加でなければ（ステップ２２６でＮＯ），オブジェクト画像の位置の変更または拡大，縮小であり，これらの変更，拡大または縮小にしたがってオブジェクト編集情報および最新オブジェクト情報バージョンがそれぞれ更新される（ステップ２２８，２２９）。また，前バージョンとの差を表す差分オブジェクト情報が，差分オブジェクト編集情報記録領域に記録される（ステップ２３０）。
【０１６７】
編集したオブジェクト画像のすべてについてオブジェクト情報が更新されると（ステップ２２５でＮＯ），差分編集情報および差分オブジェクト編集情報が画像サーバから，編集画像全体の編集を行ったクライアント・コンピュータが属するクライアント・コンピュータにブロードキャスト送信される（ステップ２３２）。これにより，クライアント・コンピュータの表示装置１４の表示画面の編集画像表示領域６０には編集後の画像が表示される。
【０１６８】
オブジェクト画像が削除された場合には削除されたオブジェクト画像についての情報がステップ２２２において編集情報から削除されているのはいうまでもない。
【０１６９】
図３０は，オブジェクト画像のオーナ・フラグの要求がクライアント・コンピュータからあった場合の編集サーバ３０の処理手順を示すフローチャートである。
【０１７０】
クライアント・コンピュータの表示装置１４の表示画面に表示されているオブジェクト画像表示領域９０の中からオブジェクト画像編集を行うオブジェクト画像がマウス８によりポイントされ，かつクリックされる（オブジェクト画像編集を行うオブジェクト画像の選択）。オーナ取得領域５４がクリックされると，選択されたオブジェクト画像についてのオブジェクト画像オーナの要求を表すデータがクライアント・コンピュータから編集サーバ３０に送信される。
【０１７１】
オブジェクト画像オーナの要求を表すデータが編集サーバ３０において受信されると（ステップ２４１），要求のあったオブジェクト画像のオーナ・フラグがセットされているか確認される（ステップ２４２，２４３）。
【０１７２】
要求のあったオブジェクト画像のオーナ・フラグがセットされている場合には（ステップ２４３でＹＥＳ）オブジェクト画像オーナ・フラグを要求してクライアント・コンピュータ以外の他のクライアント・コンピュータにより該当するオブジェクト画像について編集が行われていることが考えられる。このため，オブジェクト画像オーナ不許可通知が画像サーバ３５からクライアント・コンピュータに送信される（ステップ２４４）。オブジェクト画像オーナ・フラグを要求したクライアント・コンピュータはオブジェクト画像オーナ・フラグを取得できない。
【０１７３】
要求のあったオブジェクト画像についてのオーナ・フラグがリセットされていると（ステップ２４３でＮＯ），編集画像オーナ・オーナ・フラグがセットされる（ステップ２４５）。オブジェクト画像編集が行われるので編集画像全体の編集はできないようにするためである。また，要求のあったオブジェクト画像のオーナ・フラグがセットされる（ステップ２４６）。
【０１７４】
オブジェクト画像オーナ許可通知が，要求したクライアント・コンピュータに送信される（ステップ２４７）。要求したクライアント・コンピュータが属するグループ内のクライアント・コンピュータに，オブジェクト画像のオーナ名が通知される（ステップ２４８）。これにより，クライアント・コンピュータの表示装置１４の表示画面の領域５２Ａにはオブジェクト画像のオーナとなったクライアント・コンピュータ名が新たに表示される。
【０１７５】
オブジェクト画像のオーナ・フラグを取得したクライアント・コンピュータにおいて該当するオブジェクト画像についての編集が行われる。オブジェクト画像の編集が行われるとオブジェクト情報の更新要求を表すデータがクライアント・コンピュータから編集サーバ３０に送信される。この場合もオブジェクト画像を表すデータがクライアント・コンピュータから画像サーバ３０に送信されるのはいうまでもない。
【０１７６】
図３１は，クライアント・コンピュータにおいてオブジェクト画像の編集が行われた場合の画像サーバ３０の処理手順を示すフローチャートである。
【０１７７】
クライアント・コンピュータから送信されたオブジェクト情報更新要求が画像サーバ３５において受信される（ステップ２５１）。オブジェクト情報更新要求が受信されると，受信したオブジェクト情報更新要求にもとづいて，編集されたオブジェクト画像についてのオブジェクト情報が更新される（ステップ２５３）。
【０１７８】
つづいて，差分オブジェクト情報がオブジェクトＩＤによって管理される差分オブジェクト情報記録領域に記録される（ステップ２５４）。差分オブジェクト情報を表すデータがオブジェクト画像を編集したクライアント・コンピュータが属するグループ内のクライアント・コンピュータにブロードキャストされる（ステップ２５５）。これによりクライアント・コンピュータの表示装置１４の表示画面の編集画像には編集されたオブジェクト画像が表示されるようになる。
【図面の簡単な説明】
【図１】画像編集システムの構成を示している。
【図２】クライアント・コンピュータの電気的構成を示すブロック図である。
【図３】システム・データベースに格納されているファイルを示している。
【図４】編集情報を示している。
【図５】編集情報を示している。
【図６】編集情報を示している。
【図７】編集情報を示している。
【図８】編集情報を示している。
【図９】クライアント・コンピュータの表示画面上に表示される編集画像入力用のＧＵＩを示している。
【図１０】クライアント・コンピュータにおける画像編集処理手順を示すフローチャートである。
【図１１】クライアント・コンピュータにおける画像編集処理手順を示すフローチャートである。
【図１２】クライアント・コンピュータにおける画像編集処理手順を示すフローチャートである。
【図１３】編集サーバにおける画像編集処理手順を示すフローチャートである。
【図１４】編集サーバにおける画像編集処理手順を示すフローチャートである。
【図１５】オーナ取得処理を示すフローチャートである。
【図１６】画像登録処理を示すフローチャートである。
【図１７】画像編集処理を示すフローチャートである。
【図１８】（Ａ）から（Ｆ）は，クライアント・コンピュータの表示画面に表示されるウインドウの一例を示している。
【図１９】オーナ廃棄処理を示すフローチャートである。
【図２０】コメント送受信処理を示すフローチャートである。
【図２１】特殊コメント送受信処理を示すフローチャートである。
【図２２】クライアント・コンピュータの表示画面の一例を示している。
【図２３】クライアント・コンピュータの表示画面の一例を示している。
【図２４】クライアント・コンピュータの表示画面の一例を示している。
【図２５】システム・データベースに格納されているファイルを示している。
【図２６】クライアント・コンピュータの表示画面の一例を示している。
【図２７】編集画像オーナの要求があった場合の画像サーバの処理手順を示すフローチャートである。
【図２８】編集画像全体の編集があった場合の画像サーバの処理手順を示すフローチャートである。
【図２９】編集画像全体の編集があった場合の画像サーバの処理手順を示すフローチャートである。
【図３０】オブジェクト画像オーナの要求があった場合の画像サーバの処理手順を示すフローチャートである。
【図３１】オブジェクト画像の編集があった場合の画像サーバの処理手順を示素フローチャートである。
【符号の説明】
１，１Ａ，１Ｂ  クライアント・コンピュータ
１４  表示装置
３０  編集サーバ
３５  システム・データベース
５０  接続情報表示領域
６０  編集画像表示領域
６１  登録画像表示領域
７０  編集用ツール表示領域
８０  コメント入力領域
【図１】
0004004660.tif 000002
【図２】
0004004660.tif 000003
【図３】
0004004660.tif 000004
【図４】
0004004660.tif 000005
【図５】
0004004660.tif 000006
【図６】
0004004660.tif 000007
【図７】
0004004660.tif 000008
【図８】
0004004660.tif 000009
【図９】
0004004660.tif 000010
【図１０】
0004004660.tif 000011
【図１１】
0004004660.tif 000012
【図１２】
0004004660.tif 000013
【図１３】
0004004660.tif 000014
【図１４】
0004004660.tif 000015
【図１５】
0004004660.tif 000016
【図１６】
0004004660.tif 000017
【図１７】
0004004660.tif 000018
【図１８】
0004004660.tif 000019
【図１９】
0004004660.tif 000020
【図２０】
0004004660.tif 000021
【図２１】
0004004660.tif 000022
【図２２】
0004004660.tif 000023
【図２３】
0004004660.tif 000024
【図２４】
0004004660.tif 000025
【図２５】
0004004660.tif 000026
【図２６】
0004004660.tif 000027
【図２７】
0004004660.tif 000028
【図２８】
0004004660.tif 000029
【図２９】
0004004660.tif 000030
【図３０】
0004004660.tif 000031
【図３１】
0004004660.tif 000032